(57)【要約】    【課題】  排水口に設置して汚水の排出を容易にしながら逆流する悪臭が遮断できるようにした排水口用悪臭防止装置を提供する。    【解決手段】  室内の底面に形成される排水ホール101と連結される排水パイプ102と、排水ホール101の上面に通孔103を形成した排水上板104を結合して構成される排水口105に設置される排水口用悪臭防止装置100において;排水口用悪臭防止装置100は上端にフランジを形成して排水パイプ102の上端に引っ掛かる悪臭防止ボディー110と、悪臭防止ボディー110の内部部に形成される係止段114に結合される維持リム115を有する上部ボディー116と、上部ボディー116の中央部から下側へ直径が拡大される排水ホール117を有し突出される下部ボディー118で構成される固定ボディー111と、固定ボディー111と弾性部材112で維持されて汚水量につれて昇降しながら排水状態を決定し、固定ボディー111と共同して悪臭の逆流を防止する可動ボディー113で構成する。【選択図】  図１
2007146643.tif 000002
【特許請求の範囲】
【請求項１】
室内の底面に形成される排水ホール101と連結される排水パイプ102と;
前記排水ホール101の上面に通孔103を形成した排水上板104を結合して構成される排水口105に設けられる排水口用悪臭防止装置100において;
前記排水口用悪臭防止装置100は上端にフランジを形成して排水パイプ102の上端に引っ掛かる悪臭防止ボディー110と;
前記悪臭防止ボディー110の内部に形成される係止段114に結合される維持リム115を有する上部ボディー116と；
前記上部ボディー116の中央部から下側へ直径が拡大された排水ホール117を有し、突出される下部ボディー118で構成される固定ボディー111と;
前記固定ボディー111と弾性部材112で維持されて汚水量につれて昇降しながら排水状態を決定し、固定ボディー111と共同して悪臭の逆流を防止する可動ボディー113とで構成し;
前記可動ボディー113は固定ボディー111の上部に弾性部材112で維持されるように外側に形成する維持リム119と;
前記維持リム119の中央で汚水の排出のために下向に突出させる排水管120と;
前記排水管120の下端に下部ボディー118と等しい形状で下部ボディー118の排水ホール117と連接されるように形成する大排水口121と;
前記大排水口121の壁面122に多量の汚水を迅速に排出することができるように形成する排水孔123と;
前記大排水口121の底面124に小量の汚水を排出するように形成する小排水口125を含んでいることを特徴とする排水口用悪臭防止装置。
【請求項２】
室内の底面に形成される排水ホール101と連結される排水パイプ102と;
前記排水ホール101の上面に通孔103を形成した排水上板104を結合して構成される排水口105に設ける排水口用悪臭防止装置100において;
前記排水口用悪臭防止装置100は排水パイプ102の上端に安置され、汚水の迅速な排出が可能なように下向に傾くように形成された排水面152と；
前記排水面152の下端部に直径が拡大される排水ホール153を形成して具備される固定ボディー111と;
前記固定ボディー111の下方に小排水口125を有し、連接手段150によって固定ボディー111と連接され、汚水の排出の時は下降する可動ボディー113とで構成し;
前記可動ボディー113は外側に形成される維持リム119に排水ガイド153と連接されて気密性を維持することができるように排水ホール153と等しい形状で形成する気密面154と;
前記可動ボディー113の中央で排出するための汚水を集水することができるように形成する集水空間155を含んでいることを特徴とする排水口用悪臭防止装置。
【請求項３】
室内の底面に形成される排水ホール101と連結される排水パイプ102と;
前記排水ホール101の上面に通孔103を形成した排水上板104を結合して構成される排水口105に設ける排水口用悪臭防止装置(100)において;
前記排水口用悪臭防止装置100は前記排水パイプ102の上端に引っ掛かるように維持リム201を形成し、下方では直径が縮小される排水ホール202を形成して管体のタイプで具備される固定ボディー111と;
前記固定ボディー111の下方に小排水口125を有し、連接手段200によって固定ボディー111と連接され、汚水の排出の時は下降する可動ボディー113とで構成し;
前記可動ボディー113は内部に汚水が一時的に充填できるように集水空間203を形成し;
前記可動ボディー113の上下側は水平面204で、両側は中央を基準して上向に傾く上傾斜面205と下向に傾く下傾斜面206を有する浮球のタイプで構成し;
前記上傾斜面205の下側の部位は気密が維持できるように固定ボディー111の排水ホール202と連接させ;
前記上傾斜面205では汚水を小排水口125で排出させるように形成する排出孔207を含んでいることを特徴とする排水口用悪臭防止装置
【請求項４】
前記小排水口125は大排水口121の底面124から下向に突出される小排水管126と;
前記小排水管126に具備して排水パイプ102から逆流する悪臭を遮断する遮断手段127で構成し;
前記遮断手段127は小排水管126の外径の一側にヒンジ128結合されて小排水管126の下端面をカバーする遮断板129と;
前記遮断板129のヒンジ128の外側に具備して遮断板129を常に閉じている状態で維持する重量体130を含んでいることを特徴とする請求項１に記載の排水口用悪臭防止装置。
【請求項５】
前記小排水口125はＮ形状に屈曲された排水管131であることを特徴とする請求項１に記載の排水口用悪臭防止装置。
【請求項６】
前記連接手段150は可動ボディー113の集水空間115の中央から上方へ突出させる作動ロッド156と;
前記固定ボディー111の上方に安置される排水上板104の中央から下向に形成して作動ロッド156を収容するシリンダー157と;
前記作動ロッド156の上端では離脱防止のためにストッパー158を固定してキャップ159で仕上げ；
前記ストッパー158とシリンダー157の下端部に形成される係止段160の間に介在して可動ボディー113を上向するようにするばね161を含み;
前記作動ロッド156の下方には集水空間155の汚水が小排水口125へ排出できるように排出溝162を形成することを特徴とする請求項２に記載の排水口用悪臭防止装置。
【請求項７】
前記固定ボディー111は排水パイプ102の上端に結合され、下端と側方に複数個の排水孔170を有する悪臭防止ボディー110に維持させ;
前記可動ボディー113の集水空間155の底面171は一方向へ傾くように形成し;
前記底面171の低い位置の壁面172に小排水口125を形成して構成することを特徴とする請求項２に記載の排水口用悪臭防止装置。
【請求項８】
前記連接手段200は固定ボディー111の上方に安置される排水上板104の中央から下方へ下げて可動ボディー113の中央に形成されるガイドホール211を経由するガイド210と;
前記ガイド210の下端部に具備されるストッパー212と可動ボディー113の底面の間に具備して可動ボディー113を常に上向させる弾性体213で構成することを特徴とする請求項３に記載の排水口用悪臭防止装置。
【発明の詳細な説明】
【技術分野】
【０００１】
本発明は排水口用悪臭防止装置に関し、さらに詳細には台所ないし風呂場などに用いられる排水口に適用して排水量につれる弾力的な排水だけではなく、排水口から逆流する悪臭が容易に遮断できるようにする排水口用悪臭防止装置に関するものである。
【背景技術】
【０００２】
家庭、食堂などの台所乃至トイレから発生される汚水は排水口を通して外部に流出されて下水道へ流れるのに、排出される汚水に含まれている汚物が排水口あるいは排水口と連結される排水パイプで沈積され、時間がたつにつれて汚物の腐敗などによって発生する悪臭が排水口へ逆流して室内に入るようになる。
前記のように発生する悪臭の逆流を防止するために従来でも色々な形態と構成を有するように開発されている。その中で代表的なものは韓国特許出願第10−2001−77150号で提案されたことのように、下側がぺこりと形成されてなる本体の内部に浮きボールを配置する構造を備えている。
【０００３】
前記のようになる排水口は上部から水が流入されなくている状態では浮きボールが本体の両側の下部を遮断するようになって本体の下から流入される悪臭を完全に遮断するようになり、上部から水が流入されば、浮きボールが浮力によって上昇して本体の両側の下部を開放して水を下へ排出するようになる。
【特許文献１】韓国特許出願第10−2001−77150号
【発明の開示】
【発明が解決しようとする課題】
【０００４】
しかしながら、従来は浮きボールで本体の両側の下部を完全に遮断するから、下から流入される悪臭が完全に除去できるが、本体の上部から水が流入されば浮きボールの表面と本体の両側面が接する部分で水の流れが非常に速くなって圧力が急激に低下して浮きボールが浮力で上昇するのではなく、浮きボールが本体の両側面に接するようになって汚物の排水を妨害することになる短所がある。
【０００５】
他の例として、悪臭の逆流を防止するために、従来の排水口は開閉板が本体の下部を全体的に開閉する構造がある。これは本体に水が満ちれば水の重さによって開閉板が開放され、水が下へ排水されば開閉板を初期の状態でリターンするように開閉板の重さの重心が後方にあるので、開閉板が本体の内部を遮断する。
【０００６】
しかしながら、こんな従来の排水口は簡単な構造で構成されているが、排水を円滑にするために開閉板が本体の下部を全体的な大きさで形成されるから回転の中心に異物が流入されば回転が妨害されて開閉板がまともに閉じないことになり、したがって、大きな機能症が発生するのになって多量の悪臭がその隙間を通して室内へ流入される短所がある。
【０００７】
勿論、小さい大きさの開閉板で本体の下側で開閉することになれば、悪臭の流入量が少ないので悪臭を減らすことができるが、汚物の排水量が多くなれば汚物が迅速に排水されることができないという短所がある。
【０００８】
本発明は、上述した課題を解決するためになされたものであり、その目的とするところは、台所乃至トイレに備わる排水口に設けて排水口を通して排出される汚水の量につれて排水の状態を弾力的に調節するようにしながら排水口と連結された排水パイプから逆流される悪臭の流入を遮断して快適な室内が維持できる排水口用悪臭防止装置を提供することにある。
【発明を実施するための最良の形態】
【０００９】
[第１実施例]
以下、添附される図面に基づいて、前記の目的を達成するための本発明の望ましい構成と作用について説明すれば次のようになる。
図１は本発明の第１実施例に係る排水口用悪臭防止装置を表す分解斜視図、図２は本発明の第１実施例に係る排水口用悪臭防止装置の結合状態を表す断面図、図３(A、B)は本発明の第１実施例に係る排水口用悪臭防止装置の改変例を表す断面図、図４は本発明の技術が適用される排水口悪臭防止装置の小量排出の時を表す使用状態断面図、図５は本発明の技術が適用される排水口用悪臭防止装置の大量排出の時を表す使用状態断面図である。
【００１０】
本発明の技術が適用される排水口用悪臭防止装置100は、台所のシンクあるいはトイレの底面で形成される排水ホール101と連結される排水パイプ102を有し、前記排水ホール101の上面では複数の通孔103を形成した排水上板104を結合して構成される排水口105に設けている。
【００１１】
前記排水口用悪臭防止装置100は排水パイプ102に流入される悪臭防止ボディー110と前記悪臭防止ボディー110の内部に設けられる固定ボディー111と前記固定ボディー111に弾性部材112で維持されて汚水量につれて昇降しながら排水の状態を決定し、固定ボディー111と共同して悪臭の逆流を防止する可動ボディー113で構成される。
【００１２】
前記悪臭防止ボディー110の上端ではフランジを形成して排水パイプ102の上端に引っ掛かるようにし、前記悪臭防止ボディー110の内径では固定ボディー111が安定できるように係止段114が形成される。
【００１３】
前記固定ボディー111は係止段114に引っ掛かるように維持リム115を有する皿の形状の上部ボディー116と前記上部ボディー116の中央部から下側へ直径が拡大される排水ホール117を有し突出される形状の下部ボディー118で構成する。
前記可動ボディー113は固定ボディー111の上部に弾性部材112で維持できるように外側に維持リム119を有し中央では汚水を排出するための排水管120が下向突出される。
【００１４】
前記排水管120の下端では下部ボディー118と同一の形状で下部ボディー118の排水ホール117内面と連接される大排水口121が形成される。
前記大排水口121の壁面122には多量の汚水を迅速に排出することができるように複数個の排水孔123を形成し、大排水口121の底面124には小量の汚水を排出するための小排水口125を備える。
【００１５】
前記弾性部材112は固定ボディー111と可動ボディー113に形成される支持リム体116、119の間に介在して可動ボディー113を常に上側へ押し上げるので下部ボディー118と大排水口121が連接されるようにするので悪臭の逆流を防止することができる。
【００１６】
前記弾性部材112は合成樹脂材質で成形される蛇腹パイプまたはばねのようなコイル弾性体など様々な形態のことを用いることができる。
前記小排水口125は大排水口121の底面124から下向突出される小排水管126を備え、前記小排水管126では排水パイプ102から逆流する悪臭を遮断するための遮断手段127を備える。
【００１７】
前記遮断手段127は小排水管126の外径の一側にヒンジ128結合されて小排水管126の下端面をカバーすることができる大きさの遮断板129を備え、前記遮断板129はヒンジ128の外側に備える重量体130によって常に閉じている状態を維持するようにする。
【００１８】
前記可動ボディー113に形成される大排水口121は内部に汚水を一時、貯藏される空間が形成されることは勿論で、前記貯藏の空間は大排水口121に形成される排水孔123の全体の数の体積よりも大きい体積を有するようにするのが望ましく、弾性部材112の弾性力、更に大排水口121に充填される汚水の程度は十分に支えて行くことができなければならない。
前記固定ボディー111と可動ボディー113との間の間隔は可動ボディー113が下降の時に大排水口121に形成される排水孔123が完全に流出される程度でするこが好ましい。
【００１９】
また、排水パイプ102と悪臭防止ボディー110、悪臭防止ボディー110と固定ボディー111、下部ボディー118と大排水口121、小排水管126と遮断板129の間には排水パイプ102から逆流する悪臭が流出されないように図面上では表していないがパッキングなどのような気密材を介在して十分な気密性を維持することが望ましい。
【００２０】
前記小排水口125は排出される小量の汚水の程度を勘案して大きさと数を調節して備えることができ、小排水口125をＮの形状のように屈曲された排水管131を用いる時は排水管131の内に汚水が常に一定量が残存して悪臭の逆流を防止することができるので、別途に遮断板129を設けなくてもいい。
【００２１】
前記のような本発明の排水口用悪臭防止装置100は、
汚水が流入されない初期の状態では弾性部材112の弾性力によって可動ボディー113が上側へ押し上げられた状態だから、大排水口121が下部ボディー118の排水ホール117と緊密な状態で密着(連接)されている。
こんな状態で排水口105の下方の排水パイプ102で悪臭が発生しても排水口105の上側へ流入されることが防止されるので悪臭の逆流を防止して快適な室内を維持することができる。
【００２２】
そして、汚水が発生した時は排水口105の上側でいる排水上板104を通して汚水が流入されて可動ボディー113へ流入され、可動ボディー113の排水管120へ流入された後、大排水口121あるいは小排水口125を通して排水パイプ102へ排出される。
【００２３】
汚水の量が小量の時は汚水が排水管120へ流入された後、大排水口121に集水され、集水量が大排水口121の体積が充填されない量になるので、大排水口121の底面124に具備される小排水口125を通して排出される。
すなわち、汚水が流入されて小排水口125に位置することと共に小排水管126の下端部を防いでいる遮断板129と連接する。この時、遮断板129を維持するヒンジ128の後方で備える重量体130の重さよりも汚水の重さが重くなるので、遮断板129は下向開放されて汚水が排出できるのである。
【００２４】
それで、汚水の排出が完了されでからは重量体130によって荷重が下の方向に向かうことになるので重量体130に比べて相対的に軽い遮断板129は上向されて小排水管126の下端面と連接されて悪臭の遮断の状態に変わることになるのである。
それで、汚水の量が多い時は汚水が大排水口121は勿論、可動ボディー113の上部まで充填が持続的になれば、大排水口121の底面で具備される小排水口125も開放されることと共に可動ボディー113を上昇させている弾性部材112の力を克服して可動ボディー113を下向させることになる。
【００２５】
前記可動ボディー113が下向することで、固定ボディー111の下部ボディー118の排水ホール177と連接されていた大排水口121が下方へ移動して排水ホール117と排水孔123が流出されるので多量の汚水が排水ホール117と排水孔123を通して迅速に排出される。
前記のように多量の汚水が排出されば可動ボディー113は再び弾性部材112の弾性の復帰力によって固定ボディー111の上方へ上昇するようになり、大排水口121が下部ボディー118の排水ホール117と連接されるので悪臭の流入の経路を遮断することになる。
勿論、小排水口125をＮの形状で屈曲された排水管131を用いた時は汚水が排水管131を通して排出されてから、一部が排水管131の屈曲の部位で残存して排水管131を塞いでいるために悪臭の逆流が遮断される。
【００２６】
[第２実施例]
図６は本発明の第２実施例に係る排水口用悪臭防止装置を表す分解斜視図、図７は本発明の第２実施例に係る排水口用悪臭防止装置の結合状態断面図、図８は本発明の第２実施例に係る排水口用悪臭防止装置の小量排出の時を表す使用状態断面図、図９は本発明の第２実施例に係る排水口用悪臭防止装置の大量排出の時を表す 使用状態断面図、図１０は本発明の第２実施例に係る排水口用悪臭防止装置の改変例を表す断面図である。
【００２７】
本発明の第２実施例は排水パイプ102の上端で固定ボディー111を位置させ、前記固定ボディー111の下方で小排水口125を有する可動ボディー113を位置させて連接手段150によって固定ボディー111と連接され汚水の排出の時は下降するように構成する。
【００２８】
前記固定ボディー111は排水パイプ102の上段に形成する安置段151で維持リム115が安置されるようにし、前記固定ボディー111は汚水の排出が迅速になるように下向に傾く排水面152を形成し、前記排水面152の下端部には直径が拡大される排水ホール153を形成する。
【００２９】
前記可動ボディー113は外側に形成される維持リム119に排水ホール153と連接されて気密性が維持できるように排水ホール153と等しい形状の気密面154を形成し、中央では排出するための汚水が集水されるように集水空間155を形成する。
前記連接手段150は可動ボディー113の集水空間115の中央から上方へ作動ロッド156を突出させ、前記作動ロッド156は固定ボディー111の上方で安置される排水上板104の中央に一体で形成されて下向されるシリンダー157に挿入する。
前記作動ロッド156の上端ではストッパー158を固定してキャップ159で仕上げて離脱されることを防止し、前記ストッパー158とシリンダー157の下端部で形成される係止段160間にはばね161を介在して可動ボディー113が常に固定ボディー111と連接される状態になることで構成してもよい。
勿論、前記作動ロッド156の下方には集水空間155の汚水が小排水口125へ排出されるように排出溝162を形成するのは当然である。
【００３０】
本発明の第２実施例の作動を詳細に見れば、汚水が固定ボディー111を通して可動ボディー113の集水空間155へ流入されば集水空間155の下方で一体で具備される小排水口125の小排水管126を遮断していた遮断板129を開放して排出することになり、排出が完了されば重量体130の重さによって初期の状態で復帰して悪臭の流入を遮断するのになる。
それで、排出される汚水の量が多い時は可動ボディー113で形成される集水空間155は勿論、固定ボディー111まで集水されるので連接手段150を構成するばね161の力を克服することになるので可動ボディー113が下降することになり、固定ボディー111の排水ホール153と可動ボディー113の気密面154が隔離されて排水ホール153と気密面154の間へ汚水が大量で迅速に排出される。
【００３１】
前記のように汚水量が増大することにつれてシリンダー157と作動ロッド156の間に介在されて作動ロッド156を上昇させていたばね161が收縮されながら可動ボディー113が下降するようになり、汚水の排出が完了されば、ばね161の復帰力によって可動ボディー113が上昇することになる。
これにより、可動ボディー113の気密面154と固定ボディー111の排水ホール153と緊密な状態の連接で排水パイプ102を通して悪臭が逆流することを防ぐことができるようになる。
【００３２】
本発明の第２実施例の改変例の時は固定ボディー111を排水パイプ102の上端で結合され、下段と側方に複数個の排水孔170を有する悪臭防止ボディー110で維持されるようにする。前記の固定ボディー111の下方で連接される可動ボディー113の集水空間155の底面171は一方に向かって傾くように形成され、前記の底面171の低い位置の壁面172では小排水口125を形成して集水空間155に集水された小量の汚水を排出することができるように構成してもよい。
【００３３】
[第３実施例]
図１１は本発明の第３実施例に係る排水口用悪臭防止装置を表す断面図、図１２(A、B、C、D)は本発明の第３実施例に係る排水口用悪臭防止装置の改変例を表す断面図、図１３は本発明の第３実施例に係る排水口用悪臭防止装置の小量排出の時を表す使用状態断面図、図１４は本発明の第３実施例に係る排水口用悪臭防止装置の大量排出の時を表す使用状態断面図である。
【００３４】
本発明の第３実施例では排水パイプ102の上端に固定ボディー111を位置させ、前記の固定ボディー111の下方で小排水口125を持っている可動ボディー113を位置させて連接手段200によって可動ボディー113が固定ボディー111と連接され、汚水の排出の時は下降するように構成したことで、固定ボディー111と可動ボディー113及び連接手段200の構成を違うようにしたことである。
前記の固定ボディー111は管体のタイプで具備して上端では排水パイプ102の上端に引っ掛かることができるように維持リム201を形成し、下方では直径が縮小される排水ホール202を形成する。
【００３５】
前記の可動ボディー113は内部に汚水が一時的に充填される集水空間203を有し、上下側は水平面204で、両側は中央を基準にして上向に傾いでいる上傾斜面205と下向に傾いている下傾斜面206を持っている浮球のタイプで構成する。
前記の上傾斜面205の下側の部位は固定ボディー111の排水ホール202と連接されて気密を維持することができるようにし、上傾斜面205では汚水が小排水口125へ排出させるように複数個の排出孔207を形成し、前記の排出孔207の位置は排水ホール202と連接される位置の上側に形成して気密を維持するのに問題がないようにする。
【００３６】
前記の連接手段200は固定ボディー111の上方に安置される排水上板104の中央から下方へバーのタイプのガイド210を下し、前記のガイド210は可動ボディー113の中央で形成されるガイドホール211を経由して下端部が可動ボディー113の下方に突出できるようにする。
【００３７】
前記のガイド210の下端部に具備されるストッパー212と可動ボディー113の底面の間には 弾性体213を具備して常に膨脹された状態を維持して可動ボディー113を押し上げて固定ボディー111と連接できるようにする。
前記の弾性体213の弾性を有する合成樹脂材質のフレキシブル管のタイプのものを用い、排出される汚水の圧力によって下降の時よりも容易な圧縮が可能になるように上下側に通気孔214を形成し、圧縮の後、円滑な復帰が可能になるように内部にばね215を介在してもいい。
【００３８】
前記のガイド210の固定は下端で螺旋216を形成してナット217で締結したり、上端に螺旋孔218を形成して排水上板104の中央に結合されるボルト219と結合されるなど、様々な形態で実施が可能である。
【００３９】
第３実施例の作動を詳細に見れば、汚水が小量の時は汚水が排水上板104を通して固定ボディー111へ流入されてから、固定ボディー111の排水ホール202と連接される可動ボディー113の上傾斜面205に形成された排出孔207を通して可動ボディー113の集水空間203へ集水される。
前記のように集水された汚水の圧力が小排水口125の遮断板129の遮断力に勝って開放するので、排水パイプ102へ排出され、排出されてからは小排水口125は遮断され、悪臭の逆流が防止されることになる。
【００４０】
それで、汚水量が多い時は汚水が可動ボディー113の集水空間203の全体を充填することと共に固定ボディー111まで充填されるので、可動ボディー113を上側へ押し上げていた連接手段200の力を克服して可動ボディー113の中央を貫通するガイド210の下方で設けられる弾性体213が圧縮されるので可動ボディー113が下降することになる。
【００４１】
固定ボディー111の排水面152を通して多量の汚水が排出され、可動ボディー113の集水空間203に位置した汚水は小排水口125を通して排水される。
前記のように可動ボディー113が下降する時は弾性体213に通気孔214を形成しているので、容易な下降が可能になり、汚水の排出が完了された後は弾性体213の内部に介在されるばね215によって可動ボディー113を更に容易に上昇させることができる。
【００４２】
勿論、上昇した可動ボディー113の上傾斜面115と固定ボディー111の排水ホール202が連接されて排水パイプ102から悪臭が逆流するのは自然に防止されるのである。
［発明の効果］
【００４３】
以上のような本発明は排水口に設けて排出される汚水の量について可動ボディーが選択的に上下の方向に移動して調整されるために汚水を容易に排出するようになり、汚水が完全に排出された後は排出部位の緊密な密着状態で排水パイプから悪臭が逆流するのを防止して快適な室内を維持することができるなど様々な効果を有する。
【図面の簡単な説明】
【００４４】
【図１】本発明の第１実施例に係る排水口用悪臭防止装置を表す分解斜視図。
【図２】本発明の第１実施例に係る排水口用悪臭防止装置の結合状態を表す断面図。
【図３】図３(A、B)は本発明の第１実施例に係る排水口用悪臭防止装置の改変例を表す断面図。
【図４】図４は本発明の技術が適用される排水口用悪臭防止装置の小量排出の時を表す使用状態断面図。
【図５】本発明の技術が適用される排水口用悪臭防止装置の大量排出の時を表す使用状態断面図。
【図６】本発明の第２実施例に係る排水口用悪臭防止装置を表す分解斜視図。
【図７】本発明の第２実施例に係る排水口用悪臭防止装置の結合状態断面図。
【図８】本発明の第２実施例に係る排水口用悪臭防止装置の小量排出の時を表す使用状態断面図。
【図９】本発明の第２実施例に係る排水口用悪臭防止装置の大量排出の時を表す使用状態断面図。
【図１０】本発明の第２実施例に係る排水口用悪臭防止装置の改変例を表す断面図 。
【図１１】本発明の第３実施例に係る排水口用悪臭防止装置を表す断面図。
【図１２】図１２(A、 B、C、D)は本発明の第３実施例に係る排水口用悪臭防止装置の改変例を表す断面図。
【図１３】本発明の第３実施例に係る排水口用悪臭防止装置の小量排出の時を表す使用状態断面図。
【図１４】本発明の第３実施例に係る排水口用悪臭防止装置の大量排出の時を表す使用状態断面図。
【符号の説明】
【００４５】
100  悪臭防止装置
105  排水口
110  悪臭防止ボディー
111  固定ボディー
112  弾性部材
113  可動ボディー
121  大排水口
125  小排水口
【図１】
2007146643.tif 000003
【図２】
2007146643.tif 000004
【図３】
2007146643.tif 000005
【図４】
2007146643.tif 000006
【図５】
2007146643.tif 000007
【図６】
2007146643.tif 000008
【図７】
2007146643.tif 000009
【図８】
2007146643.tif 000010
【図９】
2007146643.tif 000011
【図１０】
2007146643.tif 000012
【図１１】
2007146643.tif 000013
【図１２】
2007146643.tif 000014
【図１３】
2007146643.tif 000015
【図１４】
2007146643.tif 000016